Podtech/llm-jp-corpus-v4-ja_patent huggingface dataset:
(57)【要約】      （修正有）【課題】従来のバイオフィードバック方式では、バイオフィードバック出力が強く出ているにもかかわらずバイオフィードバック効果が一向に上がらない事例があった。バイオフィードバック出力が効果と合致するよう、脳波によるバイオフィードバック装置の信頼性を向上させる装置を提供する。【解決手段】異なる二つの部位より同時に脳波を抽出し特定周波数成分のみを濾波した二つの脳波信号が、ともに規定の大きさを超えていて、さらにその位相差が０度に近い場合および１８０度に近い場合にのみバイオフィードバック信号を発生させる。【選択図】図４
2012170815.tif 000002
【特許請求の範囲】
【請求項１】
異なる二つの部位より同時に脳波を抽出し特定周波数成分のみを濾波した二つの脳波信号が、ともに規定の大きさを超えていて、さらにその位相差が０度に近い場合および１８０度に近い場合にのみバイオフィードバック信号を発生させることを特徴とするバイオフィードバック装置の構成。
【請求項２】
特定周波数が８ｈｚから１３ｈｚのアルファ脳波帯域であることを特徴とする前項請求のバイオフィードバック装置の構成。
【発明の詳細な説明】
【技術分野】
【０００１】脳波を取り出してバイオフィードバックを行うバイオフィードバック装置の確実性を高める装置構成に係る。
【背景技術】
【０００２】従来より脳波を取り出してバイオフィードバックを行うバイオフィードバック装置は存在し、それぞれ有効に使用され一定の成果をあげていた。
【発明の開示】
【発明が解決しようとする課題】
【０００３】数多くの実験によってこの従来のバイオフィードバック方式には欠陥があることが判明した。それはバイオフィードバック出力が強く出ているにもかかわらずバイオフィードバック効果が一向に上がらない事例があることである。
これを従来構成によって説明する。図１は従来のバイオフィードバック装置の構成図である。被検者の頭部に電極を貼り付け得られる脳波信号は増幅器１で増幅され帯域フィルタ２で濾波されて強度判定器３で規定値を越えたときバイオフィードバック出力たとえば報償音などを出力する。出力器４はこの出力装置でたとえば音響発生器発光器などとする。
図２は実際に多数の被検者をもちいて効果を測定したデータの一部である。
帯域フィルタ２は８ｈｚ〜１３ｈｚのアルファ脳波検出フィルタを用いた。
被検者ごとに棒グラフで強度判定器３の出力を示す。さらに被検者ごとのバイオフィードバック効果を線グラフで表す。図２によって多くの被検者では効果と強度判定器３の出力とが対応しているが被検者ＳＨではこれが対応していない。この例外的現象によってバイオフィードバック装置の信頼性に疑問符が付くこともあり改善が求められていた。
【課題を解決するための手段】
【０００４】さらにバイオフィードバック装置の信頼性を向上させるため実験によって次のデータを得た。すなわち同時に二箇所の脳波を取って両者の相関を検討した結果バイオフィードバック効果が得られる場合の両脳波は相関が高く、バイオフィードバック効果が少ない場合の両脳波は相関が低いことが判明した。【０００５】図３はこの結果を示す。図３は図２の結果と対応しており、被検者毎の両脳波波形の位相差を示している。縦軸は発生頻度である。
図３と図２によって被検者ＡＭ，ＡＭｍ、ＫＳ，ＮＭでは両脳波の相関が高くバイオフィードバック効果も高いのが明確である。また被検者ＮＦ，ＹＩ，ＭＦ，ＫＴでは両脳波の位相差がばらつき（すなわち相関のない状態であり）バイオフィードバック効果も低いことがわかる。問題の被検者ＳＨでは位相差９０度付近にやや集中している傾向がみられるが全般に相関は低い。
そこでバイオフィードバック装置に異なる２箇所より得られる脳波信号を用い、図４のような新規のバイオフィードバック装置を構成した。
図４において増幅器１、１１、帯域フィルタ２，２１、強度判別器３，３１は従来用いられているものである。それぞれの脳波は別個に増幅され濾波される。この２つの濾波信号は相関判定器５で相関の有無を判定される。また同時に２つの濾波信号は強度判別器３，３１で強度を判定される。この２つの判定信号が評価器６に加えられその出力によって出力器４を作動させバイオフィードバック出力を発生させる。
相関判定器５は２つの入力の位相差を測定するものでこの場合位相差が０度近傍か１８０度近傍にあることを調べて出力する。評価器６は相関判定器５の出力と強度判別器３，３１の出力を統合してバイオフィードバック条件が満たされたときに出力器４を作動させる。
【発明の効果】
【０００６】従来のバイオフィードバック装置でバイオフィードバック出力が強く出ているにもかかわらずバイオフィードバック効果が一向に上がらない事例が解消されきわめて的確にバイオフィードバック状態を把握し訓練効果をあげることができるようになる。
なお上記したバイオフィードバック効果とはバイオフィードバックによって訓練をした結果精神状況が好転したと明瞭に自覚されることを示す。
【発明を実施するための最良の形態】
【０００７】相関判定器５は２入力の相互相関をとるものであるが測定結果より明らかなとおり位相差が０度近傍および１８０度近傍であるかどうかのみを判定すればよいのでもっと簡易な加減算のみにても実現が可能である。
評価器６はｌｏｇｉｃのａｎｄ機能をもてばよいので実現は容易である。
なおこの発明の趣旨は複数被検者を対象とするバイオフィードバック装置に適用することも可能である。二人の被検者が同時に脳波を測定してその相互干渉を調べ相互でバイオフィードバックを掛け合う効用が知られている。この場合には本発明の脳波採取をそれぞれ１箇所とし、両者より得られた脳波信号を同様に処理して出力すればよい。よって装置の構成はまったく上記説明のものと同一でよい。
【図面の簡単な説明】
【０００８】
【図１】図１は従来のバイオフィードバック装置の構成を示す。
【図２】図２は多数の被検者をもちいて効果を測定したデータの一部である。
【図３】図３は被検者毎の両脳波波形の位相差を示している。
【図４】図４は本発明によるバイオフィードバック装置の構成を示す。
【符号の説明】
【０００９】１、１１：増幅器      ２，２１：帯域フィルタ      ３、３１：強度判定器
４：出力器      ５：相関判定器      ６：評価器
【図１】
2012170815.tif 000003
【図２】
2012170815.tif 000004
【図３】
2012170815.tif 000005
【図４】
2012170815.tif 000006
(57)【要約】【課題】お箸を洗う際に、お箸のこぼれ落ちや、お箸の向きを揃えながら拾い集める煩わしさなどで時間と手間がかかった。またキャップの隅や溝などの細かな部分が洗えなかった。  本発明は、お箸をこぼさずにきれいに洗え、時間と手間を省く事ができ、手袋のように手や棒等を入れての使用もでき、細かな部分も洗える、食器洗い袋スポンジを提供する。【解決手段】上下が開口している筒型のスポンジや吸水体を、内側からは細かい網、外側からは粗い網で覆い縫い付け又は熱溶着等で繋ぎ、筒型吸水体の内外を完全に覆う。そのとき筒型吸水体の下部には、その両方の網を延長し長さを設け垂らし、それを袋状にまとめる。本体の外側には掛け帯、上部には掛け紐等の引掛け部を設ける。【選択図】図１
2012170813.tif 000002
【特許請求の範囲】
【請求項１】
上下が開口している筒型の吸水体を、内側と外側から網で覆い、筒型吸水体の下部に網を設け垂らし、それを袋状にまとめたことを特徴とする食器洗い袋スポンジ。
【発明の詳細な説明】
【技術分野】
【０００１】  本発明は、お箸やその他の食器等を洗う、食器洗い袋スポンジに関するものである。
【背景技術】
【０００２】  従来、お箸を洗うためには、食器洗いスポンジを使用し、それは手のひらくらいの長方形で、厚みは１．５センチから４センチくらいのスポンジに、その周囲をナイロン製等の網で覆っている物、またはスポンジのみで片面に凹凸のある物や、スポンジの片面が、汚れを掻き落し易くするためにガサガサとした肌触りの素材になっている物などを使用していた。
なお、手にはめて指先で細かい所を洗い、手のひらで大皿等の大きな部分を洗えるミトン型食器洗いスポンジが知られている（特許文献１）。
【先行技術文献】
【０００３】
【特許文献１】特許公開２０１０−５７６９８号公報
【発明の概要】
【発明が解決しようとする課題】
【０００４】  従来より、お箸を洗う時、次のような問題があった。
（イ）まずシンク内に散乱したお箸を、向きを揃えながら拾い集めることから始まるが、それが煩わしかった。
（ロ）片手で食器洗いスポンジを持ち、そこへ、もう片手で持ったお箸の束をあて支えながら、食器洗いスポンジでお箸を包むようにし、前後左右にずらし揉むように擦り洗いをしていたが、お箸が時々こぼれ落ちる事があり、落ちたお箸は、また向きを揃えながら拾っては洗うというように、洗いにくく手間と時間がかかった。また、お箸を落とさずに十分きれいに洗う事は難しかった。
（ハ）お箸の本数が多いと汚れを落としにくく、さらにお箸がこぼれ落ち易くなるので、数回に分けて洗う事になり、時間と手間はさらにかかった。
【課題を解決するための手段】
【０００５】  上下が開口している筒型のスポンジや吸水体を、内側からは細かい網、外側からは粗い網で覆い縫い付け又は熱溶着等で繋ぎ、筒型吸水体の内外を完全に覆う。そのとき筒型吸水体の下部にはその両方の網を延長し長さを設け垂らし、それを袋状にまとめる。本体の外側には掛け帯、上部には掛け紐を設ける。
以上の構成よりなる食器洗い袋スポンジである。
【発明の効果】
【０００６】  全体が袋状になった食器洗いスポンジにお箸を入れる為、お箸はこぼれ落ちることがなく、一度に沢山のお箸を洗う事が可能で、きれいに早く洗う事ができる。また、手袋のように、食器洗い袋スポンジの中に手や棒等を入れて洗う事もでき、吸水体下部に垂れた網袋部分では、細かな所を洗うのにも便利である。小さいお子さんでも楽しく作業ができ、教育にも役立つ。
なお、使用後の食器洗い袋スポンジは、掛け帯や掛け紐によってフック等に常時掛けておけば、順次使用したお箸を入れられ、煩わしかったお箸の拾い集めが省け、水と洗剤を含ませるだけで、すぐに洗いに取りかかる事ができ、時間と手間が省ける。また、シンク内にお箸が散乱せずに見た目にもいい。
【図面の簡単な説明】
【０００７】
【図１】本発明の斜視図
【図２】本発明の断面図
【図３】本発明の使用状態を示す斜視図
【図４】本発明の別の実施状態を示す斜視図
【発明を実施するための形態】
【０００８】  以下、本発明の実施形態を説明する。
（イ）適度な厚みの上下が開口している筒型に形成された吸水体で、吸水体はスポンジや      、多孔を持つポリウレタンやゴム素材等からなっている。１枚又は複数枚の四角形      の吸水体を寄せ合わせて筒状になるようにした吸水体（１）を形成する。筒の中の      空間は上部から見て丸に近い形を形成してなく、空間がぺちゃんこになっていても      よい。
【０００９】（ハ）筒型の吸水体（１）の内側には目の細かい網（２）を、外側からは目の粗い網（３      ）で覆い、網どうしを縫い付け又は熱溶着等で繋ぎ、吸水体（１）の内外部ともに      完全に網が密着した状態とする。
【００１０】（ハ）筒型吸水体（１）の下部で繋いだ両方の網（２）（３）はそのまま垂下させ網袋状      にまとめる。その網袋の底部分は、中央がより下に長くなるよう湾曲を帯びた形の      網袋（４）にする。
【００１１】（二）全体が袋状になった本体（１０）の外側に引掛け部（５）を１か所または数か所に      設ける。掛け帯（５ａ）は、帯の左右両端を縫い付け又は熱溶着で付け、帯の中内      側を、シンク壁面等に設けたフック等の掛け具が通り抜けるようにする（図４）。      このときフック等の掛け具は略Ｕ字状の片側に吸盤を１つ又は複数個設けたフック      であり、略Ｕ字状の上側が開口している状態が好ましい。また、別の実施例として      本体（１０）の上部に掛け紐（５ｂ）を設ける。
【００１２】  本発明は、以上のような構成である。
本発明を使用するときは、本体（１０）に水、洗剤を含ませて、本体（１０）の中にお箸を入れ、本体（１０）の外側から両手で挟み、左右の手を交互に前後に滑らせながら擦り洗いをする。お箸以外の通常の食器も一般的な洗い方で洗える。
【００１３】  吸水体（１）下に垂れ下がった目の細かい網（２）と目の粗い網（３）からなる垂れた網袋（４）部分で、細かな部分を洗う事ができ、本体（１０）の中に手や棒等を入れて洗う事もできる。
【００１４】  使用後は引掛け部（５）によりフック等に掛けておくと、順次使用したお箸を入れられ、すぐに洗いに取りかかれる状態にできる。
なお、掛け帯（５ａ）を使用してフックに掛けた場合は、お箸を中に入れても、その重みで本体（１０）が傾くことはなく安定する。
【符号の説明】
【００１５】    １  吸水体、２  目の細かい網、３  目の粗い網、４  垂れた網袋、５  引掛け部、    ５ａ  掛け帯、５ｂ  掛け紐、１０  本体
【図１】
2012170813.tif 000003
【図２】
2012170813.tif 000004
【図３】
2012170813.tif 000005
【図４】
2012170813.tif 000006
(57)【要約】【課題】  真空容器の天井部が大気圧の応力に強く、歪の発生が少ない、しかも、大型の真空容器でも軽くて、メンテナンス性がよく、製作し易い真空容器を提供することを課題とする。【課題を解決するための手段】  筒状の真空容器１であって、該真空容器１は底壁部２、側壁部３及び天井壁部４から構成され、該天井壁部４がドーム状板から構成されている。なお、天井壁部４のドーム状板の中央部の肉厚が薄く、該天井壁部４と前記側壁部３が真空シールされる部分に至るにしたがって、順次肉厚が厚く構成されていてもよい。【選択図】図１
2012170886.tif 000002
【特許請求の範囲】
【請求項１】
筒状の真空容器であって、該真空容器は底壁部、側壁部及び天井壁部から構成され、該天井壁部がドーム状板からなることを特徴とする真空容器。
【請求項２】
前記天井壁部のドーム状板の中央部の肉厚が薄く、該天井壁部と前記側壁部が真空シールされる部分に至るにしたがって、順次肉厚が厚くなることを特徴とする請求項１に記載の真空容器。
【発明の詳細な説明】
【技術分野】
【０００１】
本発明は真空中又は低圧力下で、表面処理を行う装置あるいは種々の表面処理を連続的に行うクラスタ装置の搬送系等に用いる真空容器に関する。
【背景技術】
【０００２】
PVD法、プラズマCVD法などによる膜形成、イオン注入、エッチング、表面清浄化処理等の処理を行う処理装置、あるいはそれらのクラスタ装置の搬送系室に用いられる真空容器は、例えば、カップ型の容器本体と該容器本体の開口部を気密に塞ぐように円盤状に形成された天板（平板）からなるタイプ（特許文献１参照）や真空容器のドーム形状の天井壁部とこれに連続してつながる垂直な側壁部とを有する上容器と該上容器と密閉する下容器を有するタイプ（特許文献２参照）等がある。
【０００３】
前者のタイプでは、図４に示すように真空容器１の天井壁部４の天板８には外部の大気圧により、大気側の上面側では圧縮応力、下面側では引張り応力を受け、天井壁部４の天板８には曲げ応力を受ける。この曲げ応力により天井壁部４の天板８が歪まないようにするには天板７の厚さを厚くしたり、補強板を取り付けたりする必要があり、そのため重量が重くなるという問題がある。
後者のタイプでは天井壁部４の大気による曲げ応力は緩和されるが、天井壁部４と側壁３が一体に構成されているので、真空容器が大型化すると加工が難しくなる。
【先行技術文献】
【特許文献】
【０００４】
【特許文献１】特開２０００−１２９９８３号公報
【特許文献２】特開２００１−１９６３５４号公報
【発明の概要】
【発明が解決しようとする課題】
【０００５】
前記した問題に鑑み、本発明は、真空容器の天井部が大気圧の応力に強く、歪の発生が少ない、しかも、大型の真空容器でも軽くて、製作し易い真空容器を提供することを課題とする。
【課題を解決するための手段】
【０００６】
前記課題を解決するため、本発明は、筒状の真空容器であって、該真空容器は底壁部、側壁部及び天井壁部から構成され、該天井壁部がドーム状板からなることを特徴としている。
また、前記天井壁部のドーム状板の中央部の肉厚が薄く、該天井壁部と前記側壁部が真空シールされる部分に至るにしたがって、順次肉厚が厚くなることをも特徴としている。
低壁部及び側壁部は一体型でもよく、分離されて真空シールされてもよい。被処理物品あるいは内部のメンテナンスのため、天井壁部と側壁部は分離されている。
【０００７】
以上の構成にすることにより、天井壁部に大気圧による曲げ応力が発生しない真空容器を提供することができる。
【発明の効果】
【０００８】
本発明によると、真空容器の天井壁部が大気圧の応力に強く、歪の発生が少ない、しかも、直径２０００ｍｍ以上の大型の真空容器でも軽くて、製作し易い真空容器を提供することができる。
【図面の簡単な説明】
【０００９】
【図１】本発明に係る真空容器の一実施形態を示す図である。
【図２】本発明に係る真空容器において、天井壁部のドーム状板に大気圧により生ずる応力状態を表す図である。
【図３】本発明に係る真空容器の他の実施形態を天井壁部のドーム状板だけを示した図である。
【図４】従来の真空容器において、天井部の天板（平板壁）に大気圧により生ずる応力状態を表す図である。
【発明を実施するための形態】
【００１０】
図１は本発明に係る真空容器一実施形態を示す。
真空容器１は円筒状であり、底壁部２、側壁部３、天井壁部４から構成され、底壁部２には図示しない真空ポンプによってガスを排気するための排気口７が設けられている。なお、底壁部２と側壁部３及び側壁部３と天井壁部４は図示しないOリングによって真空シールされている。
【００１１】
天井壁部４は側壁部３と真空シールされる部分にフランジ部６を持つドーム状板５からなり、その肉厚はフランジ部６以外では略均一としている。
【００１２】
このような構成の天井壁部４に負荷される大気圧による応力の状態を模式的に図2に示すが、フランジ部６以外のドーム状板５には圧縮応力が生じ、図１に示したような曲げ応力は極めて小さくなる。
【００１３】
したがって、大気圧による応力によって、ドーム状板５が歪むことはない。
また、図１に示した天板（平板）８に較べて、厚さを薄くすることができる。
【００１４】
図３は本発明の他の実施形態を示すが、本実施形態では、天井壁部４が天井壁部４をなすドーム状板５の厚さがドーム状板５中央部で薄く、天井壁部４と側壁部３とが真空シールされるフランジ部６に至るにしたがって、順次厚くなる形状としている。
【００１５】
以上のようにすると、図1で示した略均一肉厚の場合と同様な効果があるとともに、さらに天井壁部４をさらに軽量化できる。
【００１６】
なお、前記ドーム状板の形状は、前記フランジ部６から天井壁部４中央部との高さをLｍｍ、真空容器１の径をDｍｍ とすると、L／Dが１／１０程度が好ましい。
また、図１、図３に示した実施形態では天井壁部４中央部が丸みを帯びたドーム状板５であるが、ドーム状板５頂点中央部を円錐形状にしてもよい。
【００１７】
さらに、これらの実施形態では、円筒状の場合で、底壁部２、側壁部３、天井壁部４を別体の真空容器としたが、真空容器１は断面多角形の角筒状であってもよく、底壁部２と側壁部３を一体にしたカップ状のものにしてもよい。
【００１８】
真空容器の用途により、必要に応じて所定の機器等を取り付けるため、天井壁部、側壁部、底壁部の一部に開口部等を設けてもよいことは勿論のことである。
【産業上の利用可能性】
【００１９】
本発明の真空容器はPVD法、プラズマCVD法などによる膜形成、イオン注入、エッチング、表面清浄化処理等の処理を行う処理装置、あるいはそれらのクラスタ装置の搬送系室等に利用される。
【符号の説明】
【００２０】
１  真空容器
２  底壁部
３  側壁部
４  天井壁部
５  ドーム状板
６  フランジ部
７  排気口
８  天板（平板）
【図１】
2012170886.tif 000003
【図２】
2012170886.tif 000004
【図３】
2012170886.tif 000005
【図４】
2012170886.tif 000006
(57)【要約】【課題】サイズの大きな服などを、定型のハンガーに掛けると型崩れしやすい。用意した通常のハンガーより更に大きなサイズの服などが現れた場合、そのサイズに即対応できるような伸縮ハンガーを提供する。【解決の手段】ハンガーＡのイ、ロ、ハを切断し、上位の部分を固定した、イとロに密着した硬質の筒Ｂ，Ｃと、ハに密着した硬質筒Ｄを設けたことを特徴とする。【選択図】図１
2012170809.tif 000002
【特許請求の範囲】
【請求項１】
ハンガーＡをイ、ロ、ハで切断し、こゝに密着したＢ，Ｃ，，Ｄの硬質の筒を設けた伸縮ハンガー。
【発明の詳細な説明】
【発明の詳細な説明】
【技術分野】
【０００１】この発明は、３個所を切断したハンガーに、硬質の筒を設けた伸縮ハンガーに関するものである。
【背景技術】
【０００２】従来、ハンガーは定型になっていた。
【発明が解決しようとする課題】
【０００３】これは、次のような欠点があった。
従来、大きなサイズでも定型の小さなハンガーを使うことが多かった。
本発明は、以上のような欠点をなくす為になされたものである。
【課題を解決する為の手段】
【０００４】ハンガーＡのイ、ロ、ハを切断し、それぞれの形状に密着した硬質の筒Ｂ，Ｃ，Ｄを設ける。
本発明は、以上の構成よりなる伸縮ハンガーである。
筒と一体になった６と７を伸ばしたり縮めたりして使用すれば良い。
【発明を実施するための形態】
【０００５】以下、本発明の実施の形態について説明する。
ハンガーのイ、ロは約５分の１位（１、２）の所で、ハは２分１（３）の所で切断し、イ、ロ、ハの形状に密着した硬質の筒Ｂ，Ｃ，，Ｄを設けＢ，Ｃは４  ５の所を接着剤で固定する。  本発明は以上のような構造で、これを使用する時は６と７を伸縮させ、服などのサイズに合わせて使用すれば良い。
【発明の効果】
【０００６】ハンガーと筒の形状が一体の為、いろんな形のハンガーに使用できいろんなサイズの服などに直ぐ対応できる。
【図面の簡単な説明】
【図１】  本発明の分解斜視図である。
【図２】  本発明の斜視図である。
【符号の説明】  Ａ  ハンガー
Ｂ  イに密着した硬質筒
Ｃ  ロ      〃
Ｄ  ハ      〃
【図１】
2012170809.tif 000003
【図２】
2012170809.tif 000004
(57)【要約】【課題】従来の縄跳び用のとびなわは、、幼児にとって、頭上に縄を振り上げる動作でうまく縄をアーチ状にすることが難しく、跳び越し運動までに至るのが難しいものである。【解決手段】幼児でも縄の振り上げが容易になるように、塩化ビニル樹脂のような素材のパイプを数珠状に連結させ、縄をアーチ状の状態に保ちやすいとびなわにする。【選択図】図１
2012170805.tif 000002
【特許請求の範囲】
【請求項１】
幼児のなわとび動作において、縄の振り上げ、振り下ろしの動作に追従して、回旋する縄がアーチ状に容易になることを目的として、以下の構造を有するとび縄とした。グリップの長さを２０ｃｍから２１ｃｍとし、グリップから縄への連結部分を２３ｃｍから２６ｃｍの柔軟なホース状素材を採用した。縄の部分は、長さ３．８ｃｍから４．２ｃｍのパイプを１２個から１４個、数珠上に連結させたことを特徴とする請求項１記載の幼児用とびなわである。
【請求項２】
幼児のなわとび動作において、振り下ろされる縄に頭上前上方から視線を合わせることで、縄の振り下ろしのタイミングに跳び越しのジャンプを容易に合わせることを目的に、縄を構成するパイプに数色の色分けすることを特徴とする請求項１又は２記載の幼児用とびなわ。
【発明の詳細な説明】
【技術分野】
【０００１】  この発明は、幼児が容易に縄跳びを跳ぶ動作を取得するために用いるとびなわの形状に関する。
【背景技術】
【０００２】  従来の縄跳びの形状は、図２に示すように、手に持つ両端のグリップの間に繊維やナイロンなどで出来た縄をつないだものを基本としている。このとびなわの場合、幼児が縄の振り上げにおいて、縄をきれいなアーチ状にすることが難しく、頭に縄を引っ掛けるなどの失敗が多く容易になわとび運動を取得することができないものである。【０００３】  また、なわとび運動におけるジャンプのタイミングは、頭上から縄を振り下ろすタイミングに行う必要があるが、幼児の特徴として、縄を回す動作と跳躍動作を同時に行う協調動作が発生しやすく、縄を振り上げるタイミングでジャンプを行ってしまい、跳び越しのタイミングを待つことができないものである。
【発明の開示】
【発明が解決しようとする課題】
【０００４】  これまでのなわとびを幼児が使用した場合、頭上に縄を振り上げる動作でうまく縄をアーチ状にするまでの過程に失敗することが多く、運動が停止してしまい、なわとび本来の跳び越し運動という目的を果たすまでに至らない結果となってしまう。【０００５】  そこで、この発明は、幼児が縄をアーチ状に保ちながら回旋運動させることを容易にし、本来の跳び越し動作の要となる頭上に振り上げた縄を振り下ろすタイミングとジャンプのタイミングを合わせることが出来、幼児であっても跳び越すという動作に集中できる。振り上げ、振り下ろし、跳び越し動作という一連の連続動作での縄をアーチ状にさせながら回旋する負担を軽減することで、跳び越し動作に意識を向けることができ、結果として連続して運動を行う運動形態を無理なく発生させることにより、幼児がなわとび運動の面白さを充分に楽しむためのなわとびを提供することを課題とする。
【課題を解決するための手段】
【０００６】  以上の課題を解決するために、第一発明は、幼児のなわとび動作において、縄の振り上げ、振り下ろしの動作に追従して、回旋する縄が運動者の頭上でアーチ状に容易になることを目的に、グリップの長さを２０ｃｍから２１ｃｍとし、グリップから縄への連結部分を２３ｃｍから２６ｃｍの柔軟な素材とし、縄の部分は、長さ３．８ｃｍから４．２ｃｍのパイプを１２個から１４個、数珠上に連結させたことを特徴とする請求項１記載の幼児用とびなわである。【０００７】  また、第ニ発明は、幼児のなわとび動作において、振り下ろされる縄に視線を合わせることで、縄の振り下ろしのタイミングにジャンプを容易に合わせることを目的に、縄を構成するパイプに数色の色分けすることを特徴とする請求項１又は２記載の幼児用とびなわである。
【発明の効果】
【０００８】  第一発明によれば、これまでのなわとびに比べて、グリップから縄部分の連結部分がやや固い素材になるため、グリップからの縄を立ち上げる力が容易に伝わり、縄を振り上げる際の失敗を低減することができる。また、縄の短いパイプを数珠状に連結した形状により、幼児が縄を回旋させるスピードが遅くても、縄を頭上にアーチ状に容易に保つことができる。これらによって、なわとび運動における振り上げ動作の失敗という不安要素を減らし、その後の振り下ろし、跳び越しという動作に集中することができる。【０００９】  第二発明によれば、カラフルな縄にすることにより、幼児が縄を飛び越えるタイミングを縄を振り下ろしながら、ジャンプするという動作の関連を理解できていなくても、縄が頭上から目の前に現れるタイミングを自然に意識させることができる。振り上げる動作から振り下ろし始めて、目の前に奇麗な縄が見えるまでジャンプを持ち、地面に下りたところでジャンプするという指導だけで、自然となわとび運動における縄の回旋運動と跳躍運動の良いタイミングを取らせることができ、連続運動としてなわとび運動を発生させることができる。
【発明を実施するための最良の形態】
【００１０】  この発明の一実施形態を、図１に示す。
とびなわの本体１は長さを２０ｃｍから２１ｃｍの硬い素材とし、とびなわの本体２を２３ｃｍから２６ｃｍの塩化ビニル樹脂、ゴム、あるいはそれに準じる弾力性と柔軟性を備えた素材でできたホース状の素材とし、とびなわの本体３を塩化ビニル樹脂、ゴム、あるいはそれに準じる弾力性と柔軟性を備えた素材でできた長さ３．８ｃｍから４．２ｃｍのパイプを１２個から１４個、数珠上に連結させた形状を成したものとなる。【００１１】「実施形態の効果」
なわとび動作を身に付けつつある段階の幼児にとって、とびなわが柔らかいひも状のもの場合、頭上に縄を振り上げる動作でうまく縄をアーチ状にするまでの過程に失敗することが多く、跳び越し運動という目的を果たすまでに至らない結果となる。【００１２】  この実施形態によれば、幼児が縄をアーチ状に保ちながら回旋運動させることを容易にし、幼児であっても跳び越すという動作に集中させることができ、なわとび運動の面白さを充分に楽しませることになる。
【図面の簡単な説明】
【００１３】
【図１】この発明の一実施形態を示す正面図である。
【図２】従来技術を示す正面図である。
【符号の説明】
【００１４】      １  グリップ
２  グリップから縄への連結部分
３  縄部分
【図１】
2012170805.tif 000003
【図２】
2012170805.tif 000004
(57)【要約】      （修正有）【課題】プラモデルの飾り棚で、主に模型の飛行機の模型などを１機分の平面でたくさんの展示物を効果的な演出を加え、飾ることができる模型の飛行機などを飾る立体飾り棚を提供する。【解決手段】台座２に横板１ａ、横板１ｂを設け、横板１ａに複数個の切れ込み３ａを設け、横板１ｂに複数個の切れ込み３ｂを設け、そこに翼を入れ飛行機を立体的に飾れるようにした模型の飛行機などを飾る立体飾り棚。【選択図】図１
2012170807.tif 000002
【特許請求の範囲】
【請求項１】
台座（２）に横板（１ａ）、横板（１ｂ）を設け、横板（１ａ）に複数個の切れ込み（３ａ）を設け、横板（１ｂ）に複数個の切れ込み（３ｂ）を設けたことが特徴で、そこに翼を入れ飛行機を立体的に飾れるようにした模型の飛行機などを飾る立体飾り棚。
【発明の詳細な説明】
【技術分野】
【０００１】  本発明は、プラモデルの飾り棚で、主に主に模型の飛行機の模型などを１機分の平面でたくさんの展示物を効果的な演出を加え、飾ることができる模型の飛行機などを飾る立体飾り棚に関するものである。
【背景技術】
【０００２】  従来の飾り棚では、飾るものを平面に並べるだけで、上部の空間がつかえず、飾るには飾るだけの平面が必要だった。
平面をたくさん使うものを飾るには、従来だと、その個数分の平面が必要であった。
【発明の概要】
【発明が解決しようとする課題】
【０００３】  従来の飾り棚で飾る方法では、１機分の平面には、１機しか飾れなかった。
本発明は、以上の問題点を解決するためになされたものである。
【課題を解決するための手段】
【０００４】（イ）台座（２）に横板（１ａ）、横板（１ｂ）を設ける。
（ロ）横板（１ａ）に複数個の切れ込み（３ａ）を設ける。
（ハ）横板（１ｂ）に複数個の切れ込み（３ｂ）を設ける。
以上のように構成された模型の飛行機などを飾る立体飾り棚。
【発明の効果】
【０００６】  従来の飾り棚では平面におくだけなので、飾るには個数分の平面の面積を必要として、一度にたくさんのものを飾ることができなかったが、この発明により、１機分の平面にたくさんの模型飛行機を飾ることができる。
切れ込みに飛行機模型の翼を差し込み、重ねて展示ができるようにする。
【図面の簡単な説明】
【０００７】
【図１】  本発明の斜視図である。
【図２】  本発明の使用状態を示した斜視図である。
【発明を実施するための形態】
【０００８】  以下、本発明を実施するための形態を説明する。
（イ）台座（２）に横板（１ａ）、横板（１ｂ）を設ける。
（ロ）横板（１ａ）に複数個の切れ込み（３ａ）を設ける。
（ハ）横板（１ｂ）に複数個の切れ込み（３ｂ）を設ける。
本発明は、以上のように構成された模型の飛行機などを飾る立体飾り棚である。
本発明を使用するときは、横板（１ａ）に複数個の切れ込み（３ａ）を設け、横板（１ｂ）に複数個の切れ込み（３ｂ）に模型飛行機の翼を差し込み、飛行機を立体的に飾る。
【符号の説明】
【０００９】１ａ    横板
１ｂ    横板
２      台座
３ａ    切れ込み
３ｂ    切れ込み
【図１】
2012170807.tif 000003
【図２】
2012170807.tif 000004
(57)【要約】      （修正有）【課題】小さい力で昇降操作が可能な、膝の負担を軽減する便座昇降装置を提供する。【解決手段】ベース１、支柱２からなる便座昇降装置の据付部材に、回動可能に設けられたキャスター・ガイド３、メインフレーム４、カム７を設け、便座１２はメインフレーム４に回動可能に軸支されるとともに、キャスター９、１０により、それぞれキャスター・ガイド３、カム７により支持されている。キャスター・ガイド３とメインフレーム４とはジョイント・プレート８で連結されている。以上により、取手１１を回動操作することによりカム７を回動させ、便座１２を昇降可能とした。なお、便座を上昇させる力を軽減させるガススプリング１６を設けている。【選択図】図３
2012170808.tif 000002
【特許請求の範囲】
【請求項１】
本案の便座は、木材、金属板、金属管、樹脂板、樹脂板、樹脂管、ゴム等の材料を使用して実現する。便座でプレート及び便座用ペレート・ベースを押し上げたり、降下する為に設置し、キャスターベース▲１３▼及びカムベース▲１４▼がカム▲７▼の接触を滑らかに駆動する様にしたコロを用いて、テコの原理の活用とカム機構▲７▼にキャスター▲９▼及▲１０▼を活用し、コロガリを円滑にするカム機構を利用して座の位置をカムに連動した取手▲１１▼を手前に引く（反時計方向）に駆動する事により便座に尻部を密着させた状態で便座部を降下させる事により、膝及び膝関節の負担を軽減する。又、尻部を密着た状態で握り棒▲１１▼を時計方向に駆動するする事により便座がゆっくり上昇し、立上がったり、座ったりのスクワットが容易になる。その上、既存の便器に取り付け可能な低廉化した補助便座機構である。
【請求項２】
便座でプレート及び便座用ペレート・ベースを押し上げたり、降下する為に設置した、キャスターベース▲１３▼及びカムベース▲１４▼がカム▲７▼の接触を滑らかに駆動する様にしたコロを用いて、テコの原理の活用とカム機構▲７▼にキャスター▲９▼及び▲１０▼を活用し、コロガリを円滑にするカム機構を利用して便座の位置をカムに連動した取手▲１１▼を手前に引く（反時計方向）に駆動する事により便座に尻部を密着させた状態で便座部を降下させる事により、膝及び膝関節の負担を軽減する。又、尻部を密着た状態で取手▲１１▼を時計方向に駆動するする事により便座がゆっくり上昇し、立上がったり、座ったりのスクワットが容易になる。しかし、腕力の弱っている障害者には腕の負担が大きい為、それを補助する為に、ガススプリンダ用いた（出願番号２０１０−１０６７２９）便座昇降機と請求項１を併用し、且つ弱者に優しく、その上、既存の便器に取り付け可能な低廉化した補助便座機構である。
【発明の詳細な説明】
【発明の詳細な説明】
【技術の属する技術分野】
【０００１】本発明は、原点位置を上支点とし下支点を便器上とした補助動力に転がりを活用したキャスター▲１▼，▲２▼カム機構を設けた昇降機に関する。
【背景技術】
【０００２】従来の便座は、腰を降ろす際、足腰の曲げが直角に近くなり、脚力が弱くなった人々にとって容易でない。最近の身体障害者用の便座が実用されているが、設備が高価な上、機構が複雑であり、高齢者、障害者には使い勝手が良くない。その上、体格・体重・姿勢に対する差異により使用できる範囲が限定される。
従来の電動便座では、停電時の電力が供給されていない場所での使用は不可能である。叉体重に対する使用範囲が限定された、ガススプリングを使用した製品も存在するが、この製品は体重による依存性があり、使い勝手がいまいちである。
【発明の概要】
【発明が解決しようとする課題】
【０００３】膝、膝関節、腰の曲げ等が不自由な障害者には、現在普及している便座で着座するのに容易でない。
従来の便座では、体格や姿勢に対する個人差に対応する調整範囲が狭く限定される。
【課題を解決するための手段】
【０００４】製造コストの低廉化を計り且つ、カム機構の応用により、便座位置をテコの原理を応用した装置で▲１１▼の取手部を手動で反時計に駆動することにより便座の位置を降下させ、利用者のお尻部を便座に密着することにより膝関節の負担が軽減される。又、便座から立ち上がる場合には▲１１▼の取手を時計方向に駆動すると事により、お尻部と接触している便座が上昇する事になり、膝の負担を軽減して立ちがる事が容易となる。
【発明の効果】
【０００５】転がり摩擦を抑えたカムとテコを併用した原理を活用して、小さい力でカムを反時計方向に力を移動する事より僅かな力で便座に接触したお尻部を降下させる事により膝関節の負担を軽減して便座えの着席が容易となり、又、立ち上がる場合には時計方向に▲１１▼の取手部を時計方向に駆動する事によりお尻部を便座ごと上昇させる事により膝の負担を軽減する事が可能となる。
【発明を実施する為の最良の形態】
【０００６】以下、本発明の実施形態を図１〜図６に基づいて説明する。
ベース▲１▼と支柱▲２▼が合体された箇所にキャスターガイド▲３▼設置する。キャスターガイド▲３▼には予め溝が掘られている。取手を手前に引く（反時計方向に回転駆動する）事により、カムがキャスターガイドに沿ってキャスター▲９▼がキャスターガイド▲３▼上を移動し、同時にキャスター▲１０▼を移動する事によって便座プレート▲５▼と密着した便座プレートベース▲６▼が降下する。利用者は尻部を便座プレートベースに密着する事になり、取手▲１１▼を握った状態で静かに便座プレートベース▲６▼が降下する為、膝の関節への負担が軽減され着席が容易となる。
一方、着座した状態で上昇する場合には取手▲１１▼を握った状態で静かに時計回転に駆動する事により便座プレート▲６▼が上昇する為、膝の関節への負担が無く、立ち上がる事が容易な部品配置の構造である。メインフレーム▲４▼と数箇所に調整穴を設けたブランケット▲８▼とのジョイント位置を変える事により便座プレートベース▲６▼の勾配を変換が可能な構造である為、利用者の利便性を計った使い勝手の良い便座昇降機である。
又、腕力の弱った人達にはガススリング▲１６▼を併用した部品配置の構造に成っている。ガススプリング▲１６▼用いた（出願番号２０１０−１０６７２９）便座昇降機を併用している為、弱者に優しく設計された便座昇降機である。
【図面の簡単な説明】
【０００７】
【図１】便座昇降装置の上面図
【図２】便座昇降機の背面図
【図３】便座昇降機の椅子降下状態の図面
【図４】便座昇降機の椅子上昇状態の図面
【図５】便座昇降機の降下状態に於けるカム部分の詳細図面
【図６】便座昇降機の上昇状態に於けるカム部分の詳細図面
【符号の説明】
【０００８】▲１▼ベース
▲２▼支柱
▲３▼キャスター・ガイド
▲４▼メインフレーム
▲５▼便座プレート
▲６▼便座用プレート・ベース
▲７▼カム
▲８▼ジョイト・プレート
▲９▼キャスター１
▲１０▼キャスター２
▲１１▼取手
▲１２▼便座
▲１３▼キャスター・ベース
▲１４▼カム・ベース
▲１５▼カム・ジョイント・シャフト
▲１６▼ガススプリング
【図１】
2012170808.tif 000003
【図２】
2012170808.tif 000004
【図３】
2012170808.tif 000005
【図４】
2012170808.tif 000006
【図５】
2012170808.tif 000007
【図６】
2012170808.tif 000008
(57)【要約】【課題】圧力なべを使用時には、蒸気音が大きくこの音のため圧力なべを使用時は、周囲に蒸気音が邪魔にならない様に注意する必要があった。また周囲の壁を蒸気とともに噴出する液で汚すことがあった。  本発明は、蒸気音を減衰し、周囲を汚さない消音カバーを提供する。【解決手段】消音カバー本体を設け、上面には蒸気穴を設け、本体の側面に取手を設ける。圧力なべのふたに付いている錘を覆う様に消音カバーを置いて排気される蒸気の方向を変えることにより蒸気音を減衰することを特徴とする圧力なべ用消音カバー。【選択図】図１
2012170810.tif 000002
【特許請求の範囲】
【請求項１】
カバー本体の上面に蒸気穴を設け、本体の側面に取手を設けた圧力なべ用消音カバー。
【発明の詳細な説明】
【技術分野】
【０００１】  本発明は、圧力なべの蒸気音を減衰する消音カバーに関するものである。
【背景技術】
【０００２】  圧力なべから出る蒸気音は、高音域の大きい音が出る、また水平方向に排気すると周囲が蒸気と混ざった液により汚れるが、特によい解決策がなかった。
なお、圧力なべのおもりとして、下向きにふたに噴きつける方式のものが知られている。（特許文献１参照）
【先行技術文献】
【０００３】
【特許文献１】  登録実用新案第３１２５５５８号
【発明の概要】
【発明が解決しようとする課題】
【０００４】  圧力なべから出る蒸気音は、高音域の大きい音で、子供や、赤ちゃんのいる家庭では、この音のために圧力なべを使用すると子供が目を覚ますなどの問題があった。また周囲壁を蒸気に含まれる液により汚すことがある。
本発明は、以上の問題点を解決するためになされたものである。
【課題を解決するための手段】
【０００５】  消音カバー本体の上面に蒸気穴を設け、本体の側面に取手を設ける。
本体の内壁に圧力なべから出る蒸気を当て、蒸気の方向を上方へ変えることにより音の大きさを減衰する。
以上の構成よりなる圧力なべから出る蒸気音を減衰し、飛散する液を消音器の内壁で受ける消音カバー
【発明の効果】
【０００６】  従来圧力なべを使用すると圧力なべの錘部分から蒸気が大きい音で噴出していたが、本発明により蒸気の方向を変えることにより蒸気音を減衰し、周囲に飛散する液をフタに落とすことができる。
【図面の簡単な説明】
【０００７】
【図１】本発明の斜視図
【図２】本発明の使用状態を示す断面図
【発明を実施するための形態】
【０００８】  以下、本発明の形態を説明する。
本休（１）の上面に蒸気穴（２）を設ける。
本体（１）の側面には、取手（３）を設ける。
本発明は以上のような構造である。
本発明を使用するときは、本体（１）を圧力なべのふたの上に錘を覆う様に置く。
【符号の説明】
【０００９】１消音カバー本体
２蒸気穴
３取手
【図１】
2012170810.tif 000003
【図２】
2012170810.tif 000004
(57)【要約】【課題】従来の技術には食卓上に基台を設けて支柱をつけ、支柱に器をつけて零す事なく食事ができるように工夫がなされた物があるが支柱の高さ、角度の調節が必要であり手間である。又、基台を移動させないと座る位置を変わる事が出来ない不自由がある。【解決手段】一般に使用されている食器の底に軽度の傾きをつける事により食事をすると食べ物が傾斜の高い方から低い方に移動して設けてある窪みに集まり、窪み内の食べ物が周囲に広がらない事を利用して食べ物を掬い易くすると同時に食器の裏にゴムを貼って食器を安定させる事で更に掬い取る事が楽に出来る様にした。【選択図】図２
2012170804.tif 000002
【特許請求の範囲】
【請求項１】
一般に使用されている皿又は洋食用食器の底に軽度の傾きをつける事により食事をすると食べ物が傾斜の高い方から低い方に移動して設けてある窪みに集まり、窪み内の食べ物が掬う時に周囲に広がらない事を利用して食べ物を掬い易くすると同時に食器の裏にゴムを貼って食器を安定させる事で更に掬い取る事が楽に出来る様にした片手で掬い易い食器
【発明の詳細な説明】
【技術分野】
【０００１】本発明は片手で食する人の食器に関するもので主にスプーンを使用して流動食、ミキサー食、極小きざみ食を食する人の食器を対象とするものである。
詳しくは食器をやや傾ける事で集め易く、窪みを設ける事で掬い易く、底にゴムを貼る事で動き難くして片手で掬い易くした食器に関する
【背景技術】
【０００２】  従来の技術に片手で食事をする人が食事をする際にこぼす心配がなく楽に食事が出来る様に工夫した身体障害者用の食器台がある。これは食卓上に据え置く基台とその上に回転自在に組み付けられて中心部材に支柱を立設した回転盆と支柱に上下動自在に組み付けた一つ以上の上下動アームとこのアームに設けた水平支軸の周りに回転自在に組み付けた食器保持部とを備える物がある。（例えば特許文献１参照）
【特許文献１】  特開平９−１６８４６６
【発明の開示】
【発明が解決しようとする課題】
【０００３】  上記記載の先例技術は食卓上に基台を設け、その基台に回転自在の食器を付けた支柱を取り付けて片手で食事をする人がこぼす事なく食事が出来るように工夫されているが基台を食卓上に固定しなくてはならず、支柱の高さ、角度の調整や食器の設置も調整を要し、食事の場所を変える事も難しい。
【課題を解決するための手段】
【０００４】前記課題を達成するために一般に使用されている皿又は洋食用食器の底に軽度の傾きをつける事により食事をすると食べ物が傾斜の高い方から低い方に移動して設けてある窪みに集まり、窪み内の食べ物が掬う時に周囲に広がらない事を利用して食べ物を掬い易くすると同時に食器の裏にゴムを貼って食器を安定させる事で更に掬い取る事が楽に出来るようにした物である。
【発明の効果】
【０００５】食器に軽度の傾きをつける事で中の食べ物が動かせる腕の反対側に集まり、集まった位置に窪みがあるので自然に窪みに入り集める必要がない。【０００６】窪みに集まった食べ物は掬う時、移動しないのでスプーンに入り易く、周囲の縁を利用すれば更にスムースに入る。【０００７】食器の裏に貼られたゴムはスプーンで掬う時に食器を固定させるので片手で食事がし易い【０００８】自分で掬って食事を摂取する事で自分の食事ペースが保たれて誤嚥が防げる【０００９】底と裏の空間がある事で少しは温冷を保つ事ができる。
【発明を実施するための最良の形態】
【００１０】本発明の形態を全体図である図１に基づいて説明する。皿の材質は食べ物を入れて漏れなければ陶器、セラミック、硬いプラスチック、紙等でも良いが使用場所により適した材質である事が望ましい。例えば病院であれば多量の食器を扱うので壊れ易く、衛生管理も厳しいので衝撃に強く、消毒に耐えるセラミックがよく、家庭であれば陶器が他の家族と区別なく暖かい雰囲気で使用できるのでよい。【００１１】皿の形は円形か楕円形が洗浄がし易く角がなく、汚れが残らないので望ましい。全体の形も底１に対してテーブルに接する部分が茶碗の様に極端に小さくなく上下の大きさにあまり差のない安定した物がよい。【００１２】図２は皿を側面からみた図である。片手で掬い易い食器は傾斜のついた底１を持つ。底１に傾斜をつける事で食べ物が一方向に寄るので、集める必要がない。底１の傾斜は片手で食事をしている間に右手を使用している人は左に、左を使用している人は右に食べ物が自然に集まるようにするのが目的であり、窪み４から窪み４の反対の縁２に向かって角度は３度位がよい。これ位の角度であれば盛り付けに問題は生じない。【００１３】食事をしている間に食べ物は利き腕の反対に自然に集まる。右利きの人は左側の窪み４に、左利きの人は右側の窪み４に集まる。窪み４に集まった食べ物は全体に広がっていないので片手で掬いやすい。ミキサー食等の形のない食べ物は窪みの周囲の縁８を利用して縁８にスプーンを当てて手前に引きながら食べ物を掬うか、又は手前の反対に押し当てるように掬うか、又は縁８に直角に当てて擦るように持ち上げると更に掬い易い。【００１４】窪み４の大きさはスプーンが入る程度がよく周囲の縁８に沿って５ｃｍ位で幅は３ｃｍ位、深さ０．５〜１ｃｍ位がよい。窪み周囲の縁８は９０〜１００度近い角度が食べ物をスプーンに入れて掬う時に零れなくてよい。【００１５】縁２は底１に対して広めの１００度位が中の食べ物がよく見えてよい。縁２の深さは３ｃｍ〜４ｃｍ位がスプーンで掬う時に零れず、手の動きを妨げなくてよい。【００１６】食器の底１と裏５の空間７は底１が３度程度の傾斜がある為に出来る。この空間７がある事で少しは食べ物の温かい物は温かく、冷たい物は冷たく保つ事ができる。【００１７】裏５に貼るゴム６は水分や熱に強いゴムで裏５に剥がれにくい糊で付けてある事が望ましい。ゴム６は食器をテーブルの上に置いて食する時にスプーンで掬う時、余分な力が加わっても動かない様にするのが目的である。その為には粘着力のあるゴムを裏全体に貼ってあると効果的である。
食器の裏にゴムを貼る事が出来ない時は市販の滑り防止用のゴムを敷いてもよい。
【図面の簡単な説明】
【００１８】
【図１】皿の全体図
【図２】皿を側面から見た図面
【符号の説明】１  皿の底
２  皿の縁
３  皿の底と縁の境界部
４  皿の窪み
５  皿の裏
６  皿の裏のゴム
７  底と裏の間の空間
８  窪みの周囲の縁
【図１】
2012170804.tif 000003
【図２】
2012170804.tif 000004
(57)【要約】【課題】本発明は、大樹となった街路樹による歩道のレンガ・縁石の盛り上がりを解消・防止する手段を提供するものである。【解決手段】本発明は、街路樹の根による敷石・縁石浮き上がり防止方法において、街路樹の真下に空洞を形成し、街路樹の自重により前記空洞分街路樹を沈下させ、街路樹の横に広がる根による縁石の浮き上がり防止方法である。街路樹の真下に空洞を形成することで樹木の自重を利用して樹木を下方に下げ、根の盛り上がりを低下させるものである。【選択図】図1
2012170341.tif 000002
【特許請求の範囲】
【請求項１】
街路樹の根による縁石・敷石の浮き上がり防止方法において、街路樹の真下に空洞を形成し、街路樹の自重により前記空洞分街路樹を沈下させ、街路樹の横に広がる根による縁石・敷石の浮き上がり防止方法。
【発明の詳細な説明】
【技術分野】
【０００１】
本発明は、街路樹の根による縁石・敷石の浮き上がり防止技術に属する。
【背景技術】
【０００２】
街路樹はヒートアイランド防止、日陰の提供など市民生活に欠かせない。街路樹が小さいうちは樹木保護盤（特開平11−286984、特開平6−49807）で保護するため、樹木の根は歩道のレンガなどより低い位置に存在する。街路樹はまだ小さいうちは問題ないが、大きく成長すると狭い余裕のない道路、歩道ではその根が盛り上がり歩道のレンガ、縁石などを浮き上がらせ特に夜間などその盛り上がりが見え難いため歩行者の妨げとなる。広い歩道であればその弊害は無視しうるが、都市部においては広い歩道を設けることは難しくその対策が求められている。
【先行技術文献】
【特許文献】
【０００３】
【特許文献１】特開平11−286984
【特許文献２】特開平6−49807
【発明の開示】
【発明が解決しようとする課題】
【０００４】
本発明は、街路樹による歩道の敷石・縁石の盛り上がりを解消・防止する手段を提供するものである。
【課題を解決するための手段】
【０００５】
本発明は、街路樹の根による縁石・敷石の浮き上がり防止方法において、街路樹の真下に空洞を形成し、街路樹の自重により前記空洞分街路樹を沈下させ、街路樹の横に広がる根による縁石・敷石の浮き上がり防止方法である。街路樹の真下に空洞を形成することで樹木の自重を利用して樹木を下方に下げ、根の盛り上がりを解消あるいは防止するものである。
【発明の効果】
【０００６】
本発明は、街路樹の真下に空洞を形成するため、街路樹の自重により前記空洞分街路樹を沈下させることができる。そのため街路樹の横に広がる根による縁石の浮き上がりを解消又は予防することができる。
【図面の簡単な説明】
【０００７】
【図１】は、本発明の街路樹の下に空洞を形成した概念図を示す。
【図２】は、空洞を形成する手段の例を示す。
【発明を実施するための形態】
【０００８】
以下、本発明を図により詳細に説明する。
図1は、街路樹の下に空洞を形成した概念図を示す。図１ａは、空洞を形成した状態を示し、図１ｂは空洞により樹木が自重で沈下した状態を示している。
図に示すように、樹木の下に空洞を形成すれば、自然にその自重で樹木は徐々に沈下する。それに伴い樹木の根により盛り上がった歩道のレンガや縁石は元の位置に戻る。
【０００９】
空洞の形成は街路樹の枝ぶりなど考慮し、樹木の重心の位置をさだめ形成する。街路樹が傾かないよう、少しずつ沈下させることが好ましい。
【００１０】
空洞の形成方法は、図２に示すような鋼製のさや管内に取り付けたビット付き推進機を駆動させ、街路樹の下まで掘削する。高圧水を吹き込み、掘削土は泥水として吸引装置を使用して排出することで空洞部を形成することができる。既存の技術で実施可能である。
【００１１】
あるいは高圧水を根本に吹付け泥水を吸引しながら街路樹の下に空洞部を形成することでもよい。あるいは街路樹の周囲に垂直な孔を掘削し、その底部より街路樹の底部中心に向け高圧水を吹き込み、高圧水で崩した泥土を泥水として吸引排出する。いずれも既存の技術で実施可能である。
【産業上の利用可能性】
【００１２】
大樹となった街路樹による歩道のレンガ・敷石の盛り上がり、あるいは縁石の盛り上がりを解消することができる。
【符号の説明】
【００１３】
１  街路樹
２  空洞
３  敷石・縁石
４  掘削機
【図１】
2012170341.tif 000003
【図２】
2012170341.tif 000004